(57)【要約】【課題】第１セルから第２セルにハンドオーバした場合に、第２セルにおける報知情報の受信に失敗した場合であっても、第２セルにおいて通信を継続する。【解決手段】本発明に係る移動局ＵＥは、報知情報受信部１２によってＳＩＢ１の受信に成功した場合に、ハンドオーバ先セルにおいて、ＭＩＢとＳＩＢ１とハンドオーバコマンドとに含まれている情報を用いた第１通信を開始し、報知情報受信部１２によってＳＩＢ１の受信に失敗した場合に、ハンドオーバ先セルにおいて、ＭＩＢ及びハンドオーバコマンドに含まれている情報を用いた第２通信を行うように構成されている通信部１４を具備する。【選択図】図１１
2010109953.tif 000002
【特許請求の範囲】
【請求項１】
受信したハンドオーバコマンドに応じて第１セルから第２セルにハンドオーバした際に、該第２セルにおける報知情報に含まれる主要情報ブロックを受信し、該主要情報ブロックに含まれる情報に基づいて該報知情報に含まれる第１システム情報ブロックを受信するように構成されている報知情報受信部と、
前記報知情報受信部によって前記第１システム情報ブロックの受信に成功した場合に、前記第２セルにおいて、前記主要情報ブロックと前記第１システム情報ブロックと前記ハンドオーバコマンドとに含まれている情報を用いた第１通信を開始し、該報知情報受信部によって該第１システム情報ブロックの受信に失敗した場合に、該第２セルにおいて、該主要情報ブロック及び該ハンドオーバコマンドに含まれている情報を用いた第２通信を行うように構成されている通信部とを具備することを特徴とする移動局。
【請求項２】
前記通信部は、前記第１通信を行っている場合、前記第１システム情報ブロックに含まれている情報に基づいて、位置登録処理を行うように構成されており、前記第２通信を行っている場合、位置登録処理を行わないように構成されていることを特徴とする請求項１に記載の移動局。
【請求項３】
前記通信部は、前記第１通信を行っている場合、前記第１システム情報ブロックに含まれているタイマの設定値を用いるように構成されており、前記第２通信を行っている場合、前記第１セルにおいて用いられていたタイマの設定値を用いるように構成されていることを特徴とする請求項１に記載の移動局。
【請求項４】
前記通信部は、前記第１通信を行っている場合、前記第１システム情報ブロックに含まれている情報に基づいて、前記移動局宛てのページング信号を受信するように構成されており、前記第２通信を行っている場合、該移動局宛てのページング信号を受信しないように構成されていることを特徴とする請求項１に記載の移動局。
【請求項５】
前記通信部は、前記第１通信を行っている場合、前記第１システム情報ブロックに含まれている情報に基づいて、前記移動局宛てのページング信号を受信するように構成されており、前記第２通信を行っている場合、前記第１セルにおいて用いられていた情報に基づいて、該移動局宛てのページング信号を受信するように構成されていることを特徴とする請求項１に記載の移動局。
【請求項６】
前記通信部は、前記第１通信を行っている場合、前記第１システム情報ブロックに含まれている情報に基づいて、所定サブフレームを、ＭＢＳＦＮ送信方式が適用されているサブフレームと見なすように構成されており、前記第２通信を行っている場合、所定サブフレームを、ＭＢＳＦＮ送信方式が適用されていないサブフレームと見なすように構成されていることを特徴とする請求項１に記載の移動局。
【請求項７】
前記通信部は、前記第１通信を行っている場合、前記第１システム情報ブロックに含まれている情報に基づいて、所定サブフレームを、ＭＢＳＦＮ送信方式が適用されているサブフレームと見なすように構成されており、前記第２通信を行っている場合、前記第１セルにおいて用いられていた情報に基づいて、所定サブフレームを、ＭＢＳＦＮ送信方式が適用されているサブフレームと見なすように構成されていることを特徴とする請求項１に記載の移動局。
【請求項８】
前記報知情報受信部は、前記主要情報ブロックによって、前記第２セルにおいて前記第１システム情報ブロックが送信されていないことが通知された場合、該第１システム情報ブロックに対する受信処理を行わないように構成されていることを特徴とする請求項１に記載の移動局。
【請求項９】
前記報知情報受信部は、前記ハンドオーバコマンドによって、前記第２セルにおいて前記第１システム情報ブロックが送信されていないことが通知された場合、該第１システム情報ブロックに対する受信処理を行わないように構成されていることを特徴とする請求項１に記載の移動局。
【請求項１０】
移動局が、受信したハンドオーバコマンドに応じて第１セルから第２セルにハンドオーバした際に、該第２セルにおける報知情報に含まれる主要情報ブロックを受信し、該主要情報ブロックに含まれる情報に基づいて該報知情報に含まれる第１システム情報ブロックを受信する工程と、
前記移動局が、前記第１システム情報ブロックの受信に成功した場合に、前記第２セルにおいて、前記主要情報ブロックと前記第１システム情報ブロックと前記ハンドオーバコマンドとに含まれている情報を用いた第１通信を開始する工程と、
前記移動局が、前記第１システム情報ブロックの受信に失敗した場合に、前記第２セルにおいて、前記主要情報ブロック及び前記ハンドオーバコマンドに含まれている情報を用いた第２通信を行う工程とを有することを特徴とする移動通信方法。
【発明の詳細な説明】
【技術分野】
【０００１】
本発明は、移動局及び移動通信方法に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、無線基地局ｅＮＢが、配下のセルにおいて、ＭＩＢ（Ｍａｓｔｅｒ  Ｉｎｆｏｒｍａｔｉｏｎ  Ｂｌｏｃｋ、主要情報ブロック）やＳＩＢ１（Ｓｙｓｔｅｍ  Ｉｎｆｏｒｍａｔｉｏｎ  Ｂｌｏｃｋ  １、第１システム情報ブロック）等を含む報知情報を送信し、かかるセル内の移動局ＵＥは、かかる報知情報に含まれるＭＩＢやＳＩＢ１内の情報等に基づいて、所定通信を行うように構成されている。
【非特許文献１】３ＧＰＰ  ＴＳ３６.３３１  Ｖ８.３.０
【発明の開示】
【発明が解決しようとする課題】
【０００３】
しかしながら、現在のＬＴＥ方式の移動通信システムでは、移動局ＵＥは、第１セルから第２セルにハンドオーバした場合に、第２セルにおけるＳＩＢ１等の受信に失敗した場合には、第２セルにおいて通信を継続することができなくなるという問題点があった。
【０００４】
そこで、本発明は、上述の課題に鑑みてなされたものであり、第１セルから第２セルにハンドオーバした場合に、第２セルにおける報知情報の受信に失敗した場合であっても、第２セルにおいて通信を継続することができる移動局及び移動通信方法を提供することを目的とする。
【課題を解決するための手段】
【０００５】
本発明の第１の特徴は、移動局であって、受信したハンドオーバコマンドに応じて第１セルから第２セルにハンドオーバした際に、該第２セルにおける報知情報に含まれる主要情報ブロックを受信し、該主要情報ブロックに含まれる情報に基づいて該報知情報に含まれる第１システム情報ブロックを受信するように構成されている報知情報受信部と、前記報知情報受信部によって前記第１システム情報ブロックの受信に成功した場合に、前記第２セルにおいて、前記主要情報ブロックと前記第１システム情報ブロックと前記ハンドオーバコマンドとに含まれている情報を用いた第１通信を開始し、該報知情報受信部によって該第１システム情報ブロックの受信に失敗した場合に、該第２セルにおいて、該主要情報ブロック及び該ハンドオーバコマンドに含まれている情報を用いた第２通信を行うように構成されている通信部とを具備することを要旨とする。
【０００６】
本発明の第２の特徴は、移動通信方法であって、移動局が、受信したハンドオーバコマンドに応じて第１セルから第２セルにハンドオーバした際に、該第２セルにおける報知情報に含まれる主要情報ブロックを受信し、該主要情報ブロックに含まれる情報に基づいて該報知情報に含まれる第１システム情報ブロックを受信する工程と、前記移動局が、前記第１システム情報ブロックの受信に成功した場合に、前記第２セルにおいて、前記主要情報ブロックと前記第１システム情報ブロックと前記ハンドオーバコマンドとに含まれている情報を用いた第１通信を開始する工程と、前記移動局が、前記第１システム情報ブロックの受信に失敗した場合に、前記第２セルにおいて、前記主要情報ブロック及び前記ハンドオーバコマンドに含まれている情報を用いた第２通信を行う工程とを有することを要旨とする。
【発明の効果】
【０００７】
以上説明したように、本発明によれば、第１セルから第２セルにハンドオーバした場合に、第２セルにおける報知情報の受信に失敗した場合であっても、第２セルにおいて通信を継続することができる移動局及び移動通信方法を提供することができる。
【発明を実施するための最良の形態】
【０００８】
（本発明の第１の実施形態に係る移動通信システムの構成）
図１乃至図１０を参照して、本発明の第１の実施形態に係る移動通信システムの構成について説明する。
【０００９】
図１に示すように、本実施形態に係る移動通信システムは、ＬＴＥ方式の移動通信システムであって、周波数ｆ１が使用されているセル１と、周波数ｆ１が使用されているセル２と、周波数ｆ３が使用されているセル３とを具備する。
【００１０】
ここで、図１に示すように、セル１において送信されている報知情報には、ＭＩＢとＳＩＢ１とＳＩＢ２とが含まれているのに対して、セル２及びセル３において送信されている報知情報には、ＳＩＢ１とＳＩＢ２とが含まれていない。
【００１１】
以下、本実施形態では、移動局ＵＥが、セル１（第１セル）からセル２（第２セル）にハンドオーバする場合の例について説明する。
【００１２】
図２に示すように、移動局ＵＥは、報知情報記憶部１１と、報知情報受信部１２と、ハンドオーバ処理部１３と、通信部１４とを具備している。
【００１３】
報知情報記憶部１１は、報知情報記憶部１１によって受信された報知情報を記憶するように構成されている。
【００１４】
ここで、報知情報記憶部１１は、ハンドオーバ前のセルであるセル１において報知情報記憶部１１によって受信された報知情報、及び、ハンドオーバ後のセルであるセル２において報知情報記憶部１１によって受信された報知情報の両方を記憶するように構成されていてもよい。
【００１５】
報知情報受信部１２は、移動局ＵＥが在圏しているセルにおいて送信されている報知情報（例えば、ＭＩＢやＳＩＢ１やＳＩＢ２等）を受信して、報知情報記憶部１１に記憶するように構成されている。
【００１６】
具体的には、報知情報受信部１２は、移動局ＵＥが、セル１からセル２にハンドオーバした際に、セル２における報知情報に含まれるＭＩＢを受信し、ＭＩＢに含まれる情報に基づいて報知情報に含まれるＳＩＢ１を受信するように構成されている。
【００１７】
例えば、報知情報受信部１２は、図３に示すように、ＭＩＢに含まれている情報である「ｄｌ-ＳｙｓｔｅｍＢａｎｄｗｉｄｔｈ」や「ｐｈｉｃｈ-Ｃｏｎｆｉｇｕｒａｔｉｏｎ」や「ｓｙｓｔｅｍＦｒａｍｅＮｕｍｂｅｒ」等を受信するように構成されている。
【００１８】
ここで、「ｄｌ-ＳｙｓｔｅｍＢａｎｄｗｉｄｔｈ」は、当該移動通信システムの下りリンクで使用される周波数帯域を示す情報であり、「ｐｈｉｃｈ-Ｃｏｎｆｉｇｕｒａｔｉｏｎ」は、ＰＨＩＣＨ（Ｐｈｙｓｉｃａｌ  ＨＡＲＱ  Ｉｎｄｉｃａｔｏｒ  Ｃｈａｎｎｅｌ）の設定情報であり、「ｓｙｓｔｅｍＦｒａｍｅＮｕｍｂｅｒ」は、当該移動通信システムにおけるシステムフレーム番号を示す情報である。
【００１９】
また、報知情報受信部１２は、図４に示すように、ＳＩＢ１に含まれている情報である「ｐｌｍｎ-ＩｄｅｎｔｉｔｙＬｉｓｔ」や「ｔｒａｃｋｉｎｇＡｒｅａＣｏｄｅ」や「ｓｃｈｅｄｕｌｉｎｇＩｎｆｏｒｍａｔｉｏｎ」等を受信するように構成されている。
【００２０】
ここで、「ｐｌｍｎ-ＩｄｅｎｔｉｔｙＬｉｓｔ」及び「ｔｒａｃｋｉｎｇＡｒｅａＣｏｄｅ」は、ハンドオーバコマンドには含まれていない情報であり、移動局ＵＥが「ＲＲＣ-Ｃｏｎｎｅｃｔｅｄ状態（接続状態）」である場合に行われる位置登録処理（ＴＡＵ）で用いられる情報である。
【００２１】
「ｓｃｈｅｄｕｌｉｎｇＩｎｆｏｒｍａｔｉｏｎ」は、複数のＳＩ（Ｓｙｓｔｅｍ  Ｉｎｆｏｒｍａｔｉｏｎ）のスケジューリング情報（周期情報やマッピング情報）を示す情報である。
【００２２】
また、報知情報受信部１２は、図５に示すように、ＳＩＢ２に含まれている情報である「ｕｅ-ＴｉｍｅｒｓＡｎｄＣｏｎｓｔａｎｔｓ」や「ｒａｄｉｏＲｅｓｏｕｒｃｅＣｏｎｆｉｇＣｏｍｍｏｎ」や「ｍｂｓｆｎ-ＳｕｂｆｒａｍｅＣｏｎｆｉｇｕｒａｔｉｏｎ」等を受信するように構成されている。
【００２３】
ここで、「ｍｂｓｆｎ-ＳｕｂｆｒａｍｅＣｏｎｆｉｇｕｒａｔｉｏｎ」は、当該セルにおいて、ＬＴＥ方式のＭＢＭＳ（Ｍｕｌｔｉｍｅｄｉａ  Ｍｕｌｔｉｃａｓｔ  Ｂｒｏａｄｃａｓｔ  Ｓｅｒｖｉｃｅ）用情報を受信するための設定情報を示す。
【００２４】
かかる設定情報には、例えば、複数セルから同じ情報を同じ周波数リソースを使って同時送信する「ＭＢＳＦＮ（ＭＢＭＳ  Ｓｉｎｇｌｅ  Ｆｒｅｑｕｅｎｃｙ  Ｎｅｔｗｏｒｋ）送信方式」用として割り当てられているサブフレームの位置についての設定情報等が含まれる。
【００２５】
移動局ＵＥは、ＭＢＳＦＮ送信が適用されているサブフレームにおいて、例えば、ＭＢＳＦＮ送信方式が適用されないサブフレームにおけるチャネル推定値とは異なるチャネル推定値を適用する。
【００２６】
つまり、ＭＢＳＦＮ送信方式が適用されないサブフレームでは、セル間の信号を識別するために、セル個別のパイロット信号が用いられる。よって、移動局ＵＥは、かかるセル個別のパイロット信号に基づき、当該セルに対するチャネル推定を行う。
【００２７】
一方、ＭＢＳＦＮ送信方式が適用されているサブフレームでは、複数の無線基地局ｅＮＢから同一のパイロット信号が送信されるため、個別のセルに対するチャネル推定を行うことができない。かかるサブフレームでは、ＭＢＳＦＮ受信のためのチャネル推定が行われる。
【００２８】
また、ＭＢＳＦＮ送信方式が適用されているサブフレームでは、移動局ＵＥは、ユニキャスト送信が行われていないものと見なすことができる。
【００２９】
このように、移動局ＵＥは、ＭＢＳＦＮ送信方式が適用されているサブフレームでは、ＭＢＳＦＮ送信方式が適用されていないサブフレームと異なる動作を行うことができる。
【００３０】
また、「ｕｅ-ＴｉｍｅｒｓＡｎｄＣｏｎｓｔａｎｔｓ」は、当該セルで用いられる各種タイマの設定値を示す情報である。例えば、図６に示すように、「ｕｅ-ＴｉｍｅｒｓＡｎｄＣｏｎｓｔａｎｔｓ」は、タイマＴ３００の設定値や、タイマＴ３０１の設定値や、タイマＴ３１０の設定値や、タイマＴ３１１の設定値等を示す情報である。
【００３１】
また、「ｒａｄｉｏＲｅｓｏｕｒｃｅＣｏｎｆｉｇＣｏｍｍｏｎ」は、図７に示すように、ＲＡＣＨ（Ｒａｎｄｏｍ  Ａｃｃｅｓｓ  Ｃｈａｎｎｅｌ）の設定情報である「ｒａｃｈ-Ｃｏｎｆｉｇｕｒａｔｉｏｎ」や、ＢＣＣＨ（Ｂｒｏａｄｃａｓｔ  Ｃｈａｎｎｅｌ）の設定情報である「ｂｃｃｈ-Ｃｏｎｆｉｇｕｒａｔｉｏｎ」や、ＰＣＣＨ（Ｐａｇｉｎｇ  Ｃｏｎｔｒｏｌ  Ｃｈａｎｎｅｌ）の設定情報である「ｐｃｃｈ-Ｃｏｎｆｉｇｕｒａｔｉｏｎ」や、ＰＲＡＣＨ（Ｐｈｙｓｉｃａｌ  Ｒａｎｄｏｍ  Ａｃｃｅｓｓ  Ｃｈａｎｎｅｌ）の設定情報である「ｐｒａｃｈ-Ｃｏｎｆｉｇｕｒａｔｉｏｎ」や、ＰＤＳＣＨ（Ｐｈｙｓｉｃａｌ  Ｄｏｗｎｌｉｎｋ  Ｓｈａｒｅｄ  Ｃｈａｎｎｅｌ）の設定情報である「ｐｄｓｃｈ-Ｃｏｎｆｉｇｕｒａｔｉｏｎ」や、ＰＵＳＣＨ（Ｐｈｙｓｉｃａｌ  Ｕｐｌｉｎｋ  Ｓｈａｒｅｄ  Ｃｈａｎｎｅｌ）の設定情報である「ｐｕｓｃｈ-Ｃｏｎｆｉｇｕｒａｔｉｏｎ」や、ＰＵＣＣＨ（Ｐｈｙｓｉｃａｌ  Ｕｐｌｉｎｋ  Ｃｏｎｔｒｏｌ  Ｃｈａｎｎｅｌ）の設定情報である「ｐｕｃｃｈ-Ｃｏｎｆｉｇｕｒａｔｉｏｎ」等を含む。
【００３２】
例えば、「ｐｃｃｈ-Ｃｏｎｆｉｇｕｒａｔｉｏｎ」には、個別チャネルで送信される情報要素である「ＲＲＣＣｏｎｎｅｃｔｉｏｎＲｅｃｏｎｆｉｇｕｒａｔｉｏｎ（図８参照）」に含まれる情報要素である「ＭｏｂｉｌｉｔｙＣｏｎｔｒｏｌＩｎｆｒｏｍａｔｉｏｎ（図９参照）」に含まれる情報要素である「ｒａｄｉｏＲｅｓｏｕｒｃｅＣｏｎｆｉｇＣｏｍｍｏｎ」に設定される情報が設定されるように構成されている（図１０参照）。
【００３３】
具体的には、図１０に示すように、「ｐｃｃｈ-Ｃｏｎｆｉｇｕｒａｔｉｏｎ」には、ページング周期を示す「ｄｅｆａｕｌｔＰａｇｉｎｇＣｙｃｌｅ」や、パラメータｎＢの設定値を示す「ｎＢ」が設定されるように構成されている。
【００３４】
なお、報知情報受信部１２は、ＭＩＢによって、セル２においてＳＩＢ１が送信されていないことが通知された場合、ＳＩＢ１に対する受信処理を行わないように構成されていてもよい。例えば、かかる通知は、ＭＩＢ内の１ビットによって行われるように構成されていてもよい。
【００３５】
また、報知情報受信部１２は、ハンドオーバコマンドによって、セル２においてＳＩＢ１が送信されていないことが通知された場合、ＳＩＢ１に対する受信処理を行わないように構成されていてもよい。例えば、かかる通知は、ハンドオーバコマンド内の１ビットによって行われるように構成されていてもよい。
【００３６】
ハンドオーバ処理部１３は、無線基地局ｅＮＢから受信したハンドオーバコマンドに応じて、移動局ＵＥがセル１からセル２にハンドオーバするための処理を行うように構成されている。
【００３７】
ここで、ハンドオーバコマンドは、報知情報受信部１２によってＳＩＢ１及びＳＩＢ２の受信に失敗する場合に備えて、ハンドオーバ後に「ＲＲＣ-Ｃｏｎｎｅｃｔｅｄ状態（接続状態）」の動作を行うために必要なＳＩＢ１及びＳＩＢ２で送信される情報を含むように構成されていてもよい。
【００３８】
例えば、かかる情報としては、「ｐｌｍｎ-ＩｄｅｎｔｉｔｙＬｉｓｔ」や、「ｔｒａｃｋｉｎｇＡｒｅａＣｏｄｅ」や、「ｕｅ-ＴｉｍｅｒｓＡｎｄＣｏｎｓｔａｎｔｓ」や、「ｐｃｃｈ-Ｃｏｎｆｉｇｕｒａｔｉｏｎ」や、「ｍｂｓｆｎ-ＳｕｂｆｒａｍｅＣｏｎｆｉｇｕｒａｔｉｏｎ」等が想定される。
【００３９】
通信部１４は、移動局ＵＥが、セル１からセル２にハンドオーバした際に、セル２において、所定通信を行うように構成されている。
【００４０】
具体的には、通信部１４は、報知情報受信部１２によってＳＩＢ１及びＳＩＢ２の受信に成功した場合に、セル２において、ＭＩＢとＳＩＢ１とハンドオーバコマンドに含まれている情報を用いた第１通信を開始するように構成されている。
【００４１】
一方、通信部１４は、報知情報受信部１２によってＳＩＢ１及びＳＩＢ２の受信に失敗した場合に、セル２において、ＭＩＢ及びハンドオーバコマンドに含まれている情報を用いた第２通信を行うように構成されている。
【００４２】
例えば、通信部１４は、第１通信を行っている場合、ＳＩＢ１に含まれている情報「ｐｌｍｎ-ＩｄｅｎｔｉｔｙＬｉｓｔ」及び「ｔｒａｃｋｉｎｇＡｒｅａＣｏｄｅ」に基づいて、定期的な位置登録処理を行うように構成されていてもよい。
【００４３】
一方、通信部１４は、第２通信を行っている場合、ＳＩＢ１に含まれている情報「ｐｌｍｎ-ＩｄｅｎｔｉｔｙＬｉｓｔ」及び「ｔｒａｃｋｉｎｇＡｒｅａＣｏｄｅ」を取得できていないため、位置登録処理を行わないように構成されていてもよい。また、位置登録処理が定期的に行われる設定の場合、定期的な位置登録処理を行わないように構成されていてもよい。
【００４４】
また、通信部１４は、第１通信を行っている場合、ＳＩＢ１に含まれているタイマの設定値（「ｕｅ-ＴｉｍｅｒｓＡｎｄＣｏｎｓｔａｎｔｓ」に含まれるタイマの設定値）を用いるように構成されており、第２通信を行っている場合、セル１において用いられていたタイマの設定値を用いるように構成されていてもよい。
【００４５】
また、通信部１４は、第１通信を行っている場合、ＳＩＢ１に含まれている情報「ｐｃｃｈ-Ｃｏｎｆｉｇｕｒａｔｉｏｎ」に基づいて、移動局ＵＥ宛てのページング信号を受信するように構成されており、第２通信を行っている場合、ＳＩＢ１に含まれている情報「ｐｃｃｈ-Ｃｏｎｆｉｇｕｒａｔｉｏｎ」を取得できていないため、移動局ＵＥ宛てのページング信号を受信しないように構成されていてもよい。
【００４６】
或いは、通信部１４は、第１通信を行っている場合、ＳＩＢ１に含まれている情報「ｐｃｃｈ-Ｃｏｎｆｉｇｕｒａｔｉｏｎ」に基づいて、移動局ＵＥ宛てのページング信号を受信するように構成されており、第２通信を行っている場合、セル２においてＳＩＢ１に含まれている情報「ｐｃｃｈ-Ｃｏｎｆｉｇｕｒａｔｉｏｎ」を取得できていないため、セル１において用いられていた情報「ｐｃｃｈ-Ｃｏｎｆｉｇｕｒａｔｉｏｎ」に基づいて、移動局ＵＥ宛てのページング信号を受信するように構成されていてもよい。
【００４７】
さらに、通信部１４は、第１通信を行っている場合、ＳＩＢ１に含まれている情報「ｍｂｓｆｎ-ＳｕｂｆｒａｍｅＣｏｎｆｉｇｕｒａｔｉｏｎ」に基づいて、所定サブフレームを、ＭＢＳＦＮ送信方式が適用されているサブフレームと見なすように構成されており、第２通信を行っている場合、セル２においてＳＩＢ１に含まれている情報「ｍｂｓｆｎ-ＳｕｂｆｒａｍｅＣｏｎｆｉｇｕｒａｔｉｏｎ」を取得できていないため、所定サブフレームを、ＭＢＳＦＮ方式が適用されていないサブフレームと見なすように構成されていてもよい。
【００４８】
或いは、通信部１４は、第１通信を行っている場合、ＳＩＢ１に含まれている情報「ｍｂｓｆｎ-ＳｕｂｆｒａｍｅＣｏｎｆｉｇｕｒａｔｉｏｎ」に基づいて、所定サブフレームを、ＭＢＳＦＮ方式が適用されているサブフレームと見なすように構成されており、第２通信を行っている場合、セル２においてＳＩＢ１に含まれている情報「ｍｂｓｆｎ-ＳｕｂｆｒａｍｅＣｏｎｆｉｇｕｒａｔｉｏｎ」を取得できていないため、セル１において用いられていた「ｍｂｓｆｎ-ＳｕｂｆｒａｍｅＣｏｎｆｉｇｕｒａｔｉｏｎ」に基づいて、所定サブフレームを、ＭＢＳＦＮ方式が適用されているサブフレームと見なすように構成されていてもよい。
【００４９】
（本発明の第１の実施形態に係る移動通信システムの動作）
図１１を参照して、本発明の第１の実施形態に係る移動通信システムの動作、具体的には、本発明の第１の実施形態に係る移動通信システムで用いられる移動局ＵＥの動作について説明する。
【００５０】
図１１に示すように、ステップＳ１０１において、移動局ＵＥは、セル１からセル２にハンドオーバする。
【００５１】
ステップＳ１０２において、移動局ＵＥは、ＭＩＢ又はハンドオーバコマンド内の所定フラグに応じて、セル２において報知情報内でＳＩＢ１/ＳＩＢ２が送信されているか否かについて判定する。
【００５２】
ＳＩＢ１/ＳＩＢ２が送信されていると判定された場合、本動作は、ステップＳ１０３に進み、ＳＩＢ１/ＳＩＢ２が送信されていないと判定された場合、本動作は、ステップＳ１０３に進む。
【００５３】
ステップＳ１０３において、移動局ＵＥは、ＳＩＢ１/ＳＩＢ２に対する受信処理を行う。かかる受信処理に成功した場合、本動作は、ステップＳ１０４に進み、かかる受信処理に失敗した場合、本動作は、ステップＳ１０５に進む。
【００５４】
ステップＳ１０４において、移動局ＵＥは、セル２において、ＭＩＢとＳＩＢ１とＳＩＢ２とハンドオーバコマンドとに含まれている情報を用いた第１通信（通常通りの通信）を継続する。
【００５５】
一方、ステップＳ１０５において、移動局ＵＥは、セル２において、ＭＩＢ及びハンドオーバコマンドに含まれている情報を用いた第２通信（ＭＩＢ及びハンドオーバコマンドに含まれている情報で実施可能な通信）を継続する。
【００５６】
（本発明の第１の実施形態に係る移動通信システムの作用・効果）
本発明の第１の実施形態に係る移動通信システムによれば、移動局ＵＥは、ハンドオーバ先のセルにおいて、ＳＩＢ１/ＳＩＢ２の受信に失敗した場合であっても、ＭＩＢ及びハンドオーバコマンドに含まれている情報を用いた第２通信を継続することができるため、通信の継続性を保証することができる。
【００５７】
また、本発明の第１の実施形態に係る移動通信システムによれば、各セルは、ＳＩＢ１及びＳＩＢ２を送信しなくてもよくなるため、セル設計に柔軟性を与えることができる。
【００５８】
例えば、「アイドル状態（Ｉｄｌe-Ｍｏｄｅ）」の移動局ＵＥが、ＳＩＢ１及びＳＩＢ２が送信されるセル１のみで待ち受けを行い、「ＲＲＣ-Ｃｏｎｎｅｃｔｅｄ状態（接続状態、Ｃｏｎｎｅｃｔｅｄ-Ｍｏｄｅ）」の移動局ＵＥが、前記セル１及びＳＩＢ１及びＳＩＢ２が送信されていないセル２の両方において通信を行うといった運用が可能となる。
【００５９】
このようにすることで、移動局ＵＥが「アイドル状態」である場合の異周波間のセル再選択回数を減らすことが可能となる。また、ページング負荷を削減することができる。
【００６０】
さらに、本発明の第１の実施形態に係る移動通信システムによれば、移動局ＵＥは、特定のセルにおいてＳＩＢ１/ＳＩＢ２が送信されていないことを検知することができ、かかる場合に、ＳＩＢ１/ＳＩＢ２に対する受信処理を行うことなく通信を開始することができるため、ハンドオーバ処理にかかる時間を削減することができる。
【００６１】
以上に述べた本実施形態の特徴は、以下のように表現されていてもよい。
【００６２】
本実施形態の第１の特徴は、移動局ＵＥであって、受信したハンドオーバコマンドに応じてセル１からセル２にハンドオーバした際に、セル２における報知情報に含まれるＭＩＢを受信し、ＭＩＢに含まれる情報に基づいて報知情報に含まれるＳＩＢ１を受信するように構成されている報知情報受信部１２と、報知情報受信部１２によってＳＩＢ１の受信に成功した場合に、セル２において、ＭＩＢとＳＩＢ１とハンドオーバコマンドとに含まれている情報を用いた第１通信を開始し、報知情報受信部１２によってＳＩＢ１の受信に失敗した場合に、セル２において、ＭＩＢ及びハンドオーバコマンドに含まれている情報を用いた第２通信を行うように構成されている通信部１４とを具備することを要旨とする。
【００６３】
本実施形態の第１の特徴において、通信部１４は、第１通信を行っている場合、ＳＩＢ１に含まれている情報に基づいて、位置登録処理を行うように構成されており、第２通信を行っている場合、位置登録処理を行わないように構成されていてもよい。前記位置登録処理には、定期的な位置登録処理が含まれてもよい。
【００６４】
本実施形態の第１の特徴において、通信部１４は、第１通信を行っている場合、ＳＩＢ１に含まれているタイマの設定値を用いるように構成されており、第２通信を行っている場合、セル１において用いられていたタイマの設定値を用いるように構成されていてもよい。
【００６５】
本実施形態の第１の特徴において、通信部１４は、第１通信を行っている場合、ＳＩＢ１に含まれている情報に基づいて、移動局ＵＥ宛てのページング信号を受信するように構成されており、第２通信を行っている場合、移動局ＵＥ宛てのページング信号を受信しないように構成されていてもよい。
【００６６】
本実施形態の第１の特徴において、通信部１４は、第１通信を行っている場合、ＳＩＢ１に含まれている情報に基づいて、移動局ＵＥ宛てのページング信号を受信するように構成されており、第２通信を行っている場合、セル１において用いられていた情報に基づいて、移動局ＵＥ宛てのページング信号を受信するように構成されていてもよい。
【００６７】
本実施形態の第１の特徴において、通信部１４は、第１通信を行っている場合、ＳＩＢ１に含まれている情報に基づいて、所定サブフレームを、ＭＢＳＦＮ送信方式が適用されているサブフレームと見なすように構成されており、第２通信を行っている場合、所定サブフレームを、ＭＢＳＦＮ送信方式が適用されていないサブフレームと見なすように構成されていてもよい。
【００６８】
本実施形態の第１の特徴において、通信部１４は、第１通信を行っている場合、ＳＩＢ１に含まれている情報に基づいて、所定サブフレームを、ＭＢＳＦＮ送信方式が適用されているサブフレームと見なすように構成されており、第２通信を行っている場合、セル１の情報に基づいて、所定サブフレームを、ＭＢＳＦＮ送信方式が適用されているサブフレームと見なすように構成されていてもよい。
【００６９】
本実施形態の第１の特徴において、報知情報受信部１２は、ＭＩＢによって、セル２においてＳＩＢ１が送信されていないことが通知された場合、ＳＩＢ１に対する受信処理を行わないように構成されていてもよい。
【００７０】
本実施形態の第１の特徴において、報知情報受信部１２は、ハンドオーバコマンドによって、セル２においてＳＩＢ１が送信されていないことが通知された場合、ＳＩＢ１に対する受信処理を行わないように構成されていてもよい。
【００７１】
本実施形態の第２の特徴は、移動通信方法であって、移動局ＵＥが、受信したハンドオーバコマンドに応じてセル１からセル２にハンドオーバした際に、セル２における報知情報に含まれるＭＩＢを受信し、ＭＩＢに含まれる情報に基づいて報知情報に含まれるＳＩＢ１を受信する工程と、移動局ＵＥが、ＳＩＢ１の受信に成功した場合に、セル２において、ＭＩＢとＳＩＢ１とハンドオーバコマンドとに含まれている情報を用いた第１通信を開始する工程と、移動局ＵＥが、ＳＩＢ１の受信に失敗した場合に、セル２において、ＭＩＢ及びハンドオーバコマンドに含まれている情報を用いた第２通信を行う工程とを有することを要旨とする。
【００７２】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７６】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局によって送信される報知情報（ＭＩＢ）の一例を示す図である。
【図４】本発明の第１の実施形態に係る無線基地局によって送信される報知情報（ＳＩＢ１）の一例を示す図である。
【図５】本発明の第１の実施形態に係る無線基地局によって送信される報知情報（ＳＩＢ２）の一例を示す図である。
【図６】本発明の第１の実施形態に係る無線基地局によって送信される報知情報（ＳＩＢ２）に含まれる情報要素（ｕＥ-ＴｉｍｅｒｓＡｎｄＣｏｎｓｔａｎｔｓ）の一例を示す図である。
【図７】本発明の第１の実施形態に係る無線基地局によって送信される報知情報（ＳＩＢ２）に含まれる情報要素（ｒａｄｉｏＲｅｓｏｕｒｃｅＣｏｎｆｉｇＣｏｍｍｏｎ）の一例を示す図である。
【図８】本発明の第１の実施形態に係る無線基地局によって送信される報知情報（ＳＩＢ２）に含まれる情報要素（ｒａｄｉｏＲｅｓｏｕｒｃｅＣｏｎｆｉｇＣｏｍｍｏｎ）の内容を説明するための図である。
【図９】本発明の第１の実施形態に係る無線基地局によって送信される報知情報（ＳＩＢ２）に含まれる情報要素（ｒａｄｉｏＲｅｓｏｕｒｃｅＣｏｎｆｉｇＣｏｍｍｏｎ）の内容を説明するための図である。
【図１０】本発明の第１の実施形態に係る無線基地局によって送信される報知情報（ＳＩＢ２）に含まれる情報要素（ｒａｄｉｏＲｅｓｏｕｒｃｅＣｏｎｆｉｇＣｏｍｍｏｎ）の内容を説明するための図である。
【図１１】本発明の第１の実施形態に係る移動局の動作を示すフローチャートである。
【符号の説明】
【００７７】
ＵＥ…移動局
１１…報知情報記憶部
１２…報知情報受信部
１３…ハンドオーバ処理部
１４…通信部
【図１】
2010109953.tif 000003
【図２】
2010109953.tif 000004
【図３】
2010109953.tif 000005
【図４】
2010109953.tif 000006
【図５】
2010109953.tif 000007
【図６】
2010109953.tif 000008
【図７】
2010109953.tif 000009
【図８】
2010109953.tif 000010
【図９】
2010109953.tif 000011
【図１０】
2010109953.tif 000012
【図１１】
2010109953.tif 000013